(57)【特許請求の範囲】
【請求項１】
弁が取付けられた漏れ防止容器であって、前記弁が、前記容器の一方の縁から他方の縁まで延びかつ２つの収束しない連結線（7,8）に沿って相互に接合された２つの可撓性のシート（2,3）の間に形成されそれにより前記可撓性のシート（2,3）が分離された時に通路（10）がシートの間に区画されるようにしている漏れ防止容器において、前記２つの収束しない連結線（7,8）が容器の一方の縁から他方の縁まで延び、２つの収束しない連結線（7,8）の間に位置する前記シートの一方の一部が、容器の隣接壁（１）に切込まれ一端が該隣接壁に取付けられ他端が把持手段を形成するよう自由となっているタブ（５）に固定され、シート（２）と容器の隣接壁（１）との間の漏れ防止連結部が前記タブ（５）の周縁の周りに延び、該タブがこれに固定された前記シート（２）の一部をその自由端を引張ることにより被るのに用いられ前記通路（10）を外部と連通するようにし、切込み（9a）が前記シート（2,3）の少なくとも一方に前記収束しない連結線（7,8）の間で形成され、該切込みが、タブ（５）に固定されたシート（２）の部分から離れており、また前記通路を前記容器の内部と連通するようにしていることを特徴とする漏れ防止容器。
【請求項２】
容器の壁（１）に取付けられた前記タブ（５）の部分が容器の２つの壁（1,4;1,34）を相互に接合する溶着部（14c,33）に近接していることを特徴とする請求項１に記載の漏れ防止容器。
【請求項３】
前記連結線（7,8）によって形成された通路（10）が、壁部分が前記タブ（５）と一体の通路の端部に近接した幅広の部分を有し、該幅広の部分が前記容器に包装された液体を分配するパイプ（17）の折り返された端部（17a）を収容するよう作用し、前記幅広の部分の端部が、前記分配パイプが所定の長さ以上に前記通路（10）に入らないようにするストッパとして作用することを特徴とする請求項１に記載の漏れ防止容器。
【請求項４】
容器の壁（1,4）より堅い材料のストリップ（18）が、容器に取付けられ前記タブ（５）の外面と一体となるようにし、該ストリップ（18）が前記容器から分離された時前記通路（10）が開かれるようにしていることを特徴とする請求項１に記載の漏れ防止容器。
【請求項５】
前記ストリップ（18）が、折られた後に前記通路（10）に挿入され弁を開き前記容器に収容されている液体を通過させるパイプを形成するように配置された刻み目線（19）を有していることを特徴とする請求項４に記載の漏れ防止容器。
【請求項６】
前記収束しない連結線（7,8）が袋の１つの縁に平行に延び、２つの対向する縁（14a,14c）を相互に接合していることを特徴とする請求項１に記載の漏れ防止容器。
【請求項７】
第２の通路（20）が前記可撓性のシート（2,3）の間に形成され、また前記容器の１つの縁に近接する外端部と前記容器の内部に連通する他端部とを有していることを特徴とする請求項１に記載の漏れ防止容器。
【請求項８】
前記通路（10,20）の２つの各端部が前記容器の一方の縁と同じ位置を占めかつ相互に近接していることを特徴とする請求項７に記載の漏れ防止容器。
【請求項９】
前記切込み（９′ａ）の反対側端部に接近した前記通路（10′）の断面が狭小部を有し、該狭小部の断面が実質的に前記分配用パイプ（17′）の断面と一致していることを特徴とする請求項７に記載の漏れ防止容器。
【請求項１０】
前記通路（10′）の断面の前記狭小部がさらに、分配用パイプ（17′）と一体の対応ストッパ（17′ａ）と相互に作用するストッパを構成していることを特徴とする請求項９に記載の漏れ防止容器。
【請求項１１】
２つの収束しない連結線（7,8）に沿って相互に接合された前記２つの可撓性シート（2,3）が、容器の壁（1,4）の一方に、前記通路（10,10′）の各側にそれぞれが位置する少なくとも２つの個所で、取付けられていることを特徴とする請求項１に記載の漏れ防止容器。
【請求項１２】
請求項７に記載の容器に液体を包装する方法であって、前記容器が２つの通路（10,20）と共に形成され、前記容器の縁に近接した前記第２の通路（20）の少なくとも外端部が開いたままとされ、前記液体が第２の通路（20）を通って導入され第２の通路（20）の前記外端部がシールされることを特徴とする液体を容器に包装する方法。
【請求項１３】
前記容器を形成する時、保護ラッカー（6a）の層が少なくとも前記容器の縁に近接した前記第２の通路（20）の外側開口に対応する前記可撓性シート（2,3）の縁の間に塗着され、該ラッカー層（6a）の幅が容器の縁を形成する溶着部（14a）の幅より小さく、容器の縁が溶着され、容器の縁に近接する第２の通路（20）の外側開口に対応する個所における溶着部の幅を前記保護ラッカー（6a）の層の幅に減少させまた該減少された幅の溶着部を保護ラッカー（6a）の層に重ね、容器が第２の通路（20）を通って充填され、前記保護ラッカー（6a）の層に近接する横方向の溶着部が、前記第２の通路（20）の外側開口の位置における保護ラッカー（6a）の層によって自由となっている容器の縁の溶着部（14a）の部分の狭小部の２つの縁の間に、形成されることを特徴とする請求項12に記載の方法。
【請求項１４】
前記容器を形成する時、保護ラッカー（6a）の層が、前記容器の１つの縁の位置と一致する前記第１の通路（10）の外端部に対応する前記可撓性のシート（2,3）の縁の間に、前記可撓性のシート（2,3）が前記収束しない連結線（7,8）の間で切込まれる前記第１の通路（10）の端部から離れて、塗着され、前記保護ラッカー層（6a）の幅が容器の縁を形成する溶着部（14a）の幅より小さく、容器の縁が溶着され、該溶着部の前記第１の通路（10）の前記外端部に対応する個所における幅を保護ラッカー（6a）の層の幅に減少させ、該減少された幅の溶着部を保護ラッカー層に重ね、管状要素（17）が前記第１の通路（10）に挿入され折り返されそれにより管状要素が前記シート（2,3）が前記収束しない連結線（7,8）の間で切込まれる個所にとどかないようにし、また横方向の溶着部が前記保護ラッカー（6a）の層に近接して形成されることを特徴とする請求項12と13のいずれかに記載の容器による液体の包装方法。
【請求項１５】
液体を包装するため請求項３と７のいずれかに記載の漏れ防止容器を使用する方法であって、前記容器に包装された液体を分配する取外し自在のパイプ（17）が前記通路（10）に導入され、該通路の外部に位置する前記取外し自在のパイプの部分が曲げられ、曲げられた部分（17a）の端部が前記通路（10）の前記幅広部分の底に当接するようにされ前記分配用のパイプ（17）が所定の長さを超えて前記通路を貫通するのを阻止するようにしていることを特徴とする漏れ防止容器の使用方法。
【発明の詳細な説明】
本発明は弁が取付けられた漏れ防止容器に関し、前記弁は容器の内部に位置し、容器の一方の縁から他方の縁へと延び２つの収束しない連結線に沿って相互に接合された２つの可撓性シートの間に形成され、それにより前記可撓性シートが分離された時シートの間に通路が区画されるようにしている、漏れ防止容器に関する。
袋の内部に位置し２つの可撓性シートの間に形成され袋の一部を通過する弁が取付けられた漏れ防止容器は公知であり、これらシートは２つの収束しない線に沿って相互に接合されそれにより前記シートが分離された時通路がシートの間に形成され、また、袋の縁に近接する通路の端部を除いて袋の縁の間に漏れがないように固定されている。この通路は流体が袋の内部と外部との間を通ることができるようにし、可撓性シートはシートを分離させる力がシートに加わらなくなった瞬間に一方を他方に押しつけるようにし、それにより前記流体が袋から出るのを阻止するようにする。
このような袋は公知であり特にWO95/23742、フランス特許2711115号、及びフランス特許1338549号に記載されている。
これらの漏れ防止袋の弁を形成する通路は平常時は両方の端部で開かれるが、これは使用者にその購入の前にはこの袋の使用に関し何ら保証を与えるものではないことを意味する。購入者はそのため袋が依然として最初に包装された量の製品を収容しているという保証を有していないことのほかに、購入者はまた包装された製品の衛生上の条件に関して何らの保証も有していない。
米国特許第3687358号は、袋の壁の内面にその縁によってこの壁にその中心で固定された弱い層を有する袋の内部に接近できるようにした開口構造をすでに提案している。弱い層に固定される袋の壁の部分はこの弱い層に溶着されそれによりタブを引張ることにより弱い層が破られ袋を開くことができるようにする。
WO95/23742は弁の通路の内端が取付けられた蓋によって閉じられそのため他の構成要素を包装に付加することを必要とすることを提案している。通路の内端を閉じることは袋に包装された製品の衛生を保証するが通路自体の衛生を保証するものではない。
弁を有するこの型の漏れ防止容器はいかなる場合においても他の種類の問題を有している効率的に作動するためには、２つの可撓性シートの間に弁を形成する通路は効果的なシールを得るには十分長くなければならない。弁の外側開口が内側シートの一方と袋の壁との間の折り目又は接合部によって形成されるこれまでに提案された解決方法では、通路の長さは通路を袋の主軸線と角度をなして位置させることにより増大されていたが、これはこの通路の長さが可撓性シートが袋の中に延出する長さより大きいことを意味する。全く同様に、用いられる可撓性シートの大きさは実質的に通路の幅よりも大きく、これは大量の材料がそのために無駄にされることを意味する。
本発明の発明者は、通路が形成されるシートと同様に漏れ防止容器の一方の縁から他方の縁に延びる通路を形成することにより両方の問題を同時に解決する方法を見出したが、これはその幅がこの通路の幅を大きく超えることのないシートを用いることを可能にするものである。
この種の通路は、漏れ防止容器を横切って延びしかも十分な長さに達するシートの最も効果的な利用を可能にするものであるが、容器の内部又は外部に連通するものではなくまたこの段階で従来技術による弁の傾斜した通路とは異なり容器の内部と外部との両方に対して密封状にシールされる空間を簡単に形成する。
通路が形成されるシートの少なくとも一方に、この通路を区画する収束しない連結線の間で切込みが形成され、これにより通路を外部と連通できるようにする。これはしたがって漏れ防止容器の内部と連通する通路を与えるが外部からは接近できず、そのため盗み取り防止の所望の保証の全てをもたらすものである。
消費者が簡単で実用的な手段を用いてこの通路の内部に接近できるようにするため、タブ（つまみ）が容器の壁に切込まれ、このタブの一部が、用いられる隣接シートに、前記した切込みから距離をおいた個所の２つの収束しない連結線の間で、固定される。このタブの端部はこれを掴むことができるように自由となっている。漏れ防止連結部がタブの周りの容器の壁と隣接シートとの間に形成される。このタブの自由端を引張ることにより、タブに固定されたシートが局部的に引裂かれそのため接近は漏れ防止容器の内部に対しては間接的にまた弁通路に対しては直接的となり、それにより飲用ストローがこの通路に導入でき通路の２つの壁が離され液体が容器から吸引できるようになる。
弁を形成するシート材料の最も効果的な使用に加えて、本発明の目的の１つは袋の容積の効果的な利用である。現在の技術の袋においては、袋の頂部は充填できるようにするため開かれたままである。充填液面はこのような場合にはあまり高くすることはできずさもなければ液体は頂縁が溶着される時袋から溢れ出てしまう。これは液体が袋を充たす量が多くないことを意味する。もちろん袋を弁の通路を通って充たすことはできるが、液体はこの通路に残り、これは、通路が最初に用いられるまでは完全に清潔にしておかなければならないため、許されないことである。
有利には、第２の通路が、弁の通路が形成される前記可撓性のシートの間に形成され、この通路は前記容器の一方の縁に近接した外端部と容器の内部と連通する他方の端部とを有している。
本発明の他の主題は前記第２の通路を含む袋又は容器に液体を包装する方法であり、この方法によれば袋は２つの通路と共に形成され、前記容器の縁に近接する前記第２の通路の少なくとも外端部に開かれたままとなり、前記液体がこの第２の通路を通って導入され、第２の通路の前記外端部がシールされる。
最後に、本発明の主題は請求項15による前記漏れ防止容器の使用である。
本発明の主題を構成する容器の多くの利点の中で、提案された解決方法は公知の解決方法と比べて漏れ防止容器に何ら余分の構成要素を付加するものではなく、タブは容器の壁の一部によって形成される。この方法はしたがって製造コストの増大を伴なわない。さらに、現存する生産ラインをほんの僅かに変更するのみで使用し続けることができ、生産の観点から見て少なからぬ利点をもたらす。
容器は盗み取りの試みから保護される。衛生的条件は袋が使用される最初の時まで完全に保証される。袋と弁を形成する構成要素の数は可能な限り減少され、弁を盗み取り防止とするのに何らの取付け要素も必要としない。通路を製造するのに必要なシートの面積と袋の充填可能な容積とは最高度に活用される。
他の利点は、図解式に実例を挙げて、本発明の主題を形成する漏れ防止容器の１つの実施態様と種々の変更形式とを示す図面を参照して、以下の記載を読むことにより、明らかとなるであろう。
図１は本発明の漏れ防止容器を製造する工程の種々の段階を示す正面図である。
図２は図１のII−II線上での平面図である。
図３は図１のIII−III線上での平面図である。
図４は図１のIV−IV線上での平面図である。
図５は図１のＶ−Ｖ線上での平面図である。
図６は図１のVI−VI線上での平面図である。
図７は図１のVII−VII線上での平面図である。
図８は図７のVIII−VIII線上の断面図である。
図９は図７のIX−IX線上の断面図である。
図10,11及び12は使用上の３つの段階を示す漏れ防止袋の斜面図である。
図13から15は使用上の３つの段階を示す他の形式の斜面図である。
図16から19は本発明の主題を形成する容器の他の形式の製造の様々な段階を示す。
図20は図１の製造工程の他の形式の部分正面図である。
図21は図20の製造工程のａ−a,b−b,c−c,d−d,e−ｅ及びｆ−ｆ線上の連続段階を示す断面図である。
図１は本発明の主題である漏れ防止袋を製造するのに用いられるポリスチレン、ポリプロピレン、ポリエチレン又はポリアミドのような単一層又は多層の熱可塑性フィルムの４つの無端ストリップ1,2,3,4を示している。広幅のストリップ１と４は袋の壁を形成するようにされ、これに対し狭い幅のストリップ２と３は弁をつくり出すのに用いられる。好ましくは、40μｍのオーダーのストリップ２と３のフィルムの厚さは、100μｍのオーダーのストリップ１と４のフィルムの厚さより小さく、それによりストリップ２と３がより可撓性となり弁を閉じるのがより容易となるようにする。
この袋を製造する様々な作用がストリップ１から４のライン上で進行しまた袋の幅が鎖線で描かれている図２から７によって図示されている。
第１の作用がシート１上で行われそして規則正しい間隔でタブ（つまみ）５を予め切込むことからなっている。各タブ５は袋の隅部の１つに接近して位置するようになっている。このタブ５の端部が切り抜かれ、一方その平行な縁部は予め切込まれ使用する前にはタブ５がシート１の平面上にとどまっているようにする。
第２の作用（図３）は矩形の耐熱性インク又はラッカー６をシート２上に、タブ５の間の間隔に対応する規則正しい間隔で塗着させることからなっている。
第３の作用はシート２と３を２つの平行の線７と８（図４）に沿って溶着しこれらシートの間に通路10を残し、この通路の可撓性の壁は平常時は接触しているが離間することができる。それにより包装された液体の分配を制御する弁が形成されるようにすることからなっている。これらの溶着部７と８は耐熱性ラッカー６が位置する個所で狭くなっている。この作用の間２つの平行の切込み９が溶着部７と８に形成され、横方向の切込み9aがこの平行な切込み９を連結し、それにより通路10が外部と連通するようにする。
第４の作用（図５）の間、２つのストリップ２と３は、ストリップ２の外縁に沿ってストリップ１の隣接縁の近くに延びる溶着部11によりストリップ１に溶着される。溶着部12がまた形成されそしてこれがシート２上に塗着された耐熱性ラッカーの矩形６の長い方の側縁を取巻きこの矩形６の幅を横切りそれによりシート２と３が通路10のある位置では相互に溶着されないようにする。耐熱性ラッカーの矩形６上に重ねられた矩形の形状の溶着部13がまた形成されそれによりシート１と２だけがこの矩形13の位置で相互に溶着されるようにする。
次に、この次の段階で、ストリップ1,2,3が第４のストリップ４で被覆され、漏れ防止袋15の３つの側縁を形成する３つの溶着部14a,14b,14cが形成され、そのうち溶着部14bがストリップ１と４の縁の一方に沿い、他の２つの溶着部14a,14cがこれらストリップを横切るように位置している。ストリップ１と４の他方の縁に近接した第４の側縁は開いたままであり次の漏れ防止袋15への充填ができるようにする。
最後の段階は漏れ防止袋を２つの隣接溶着部14a,14cの間で相互に引き離すことである。
図７に示される漏れ防止袋15は包装される液体を受け入れるよう用意されており、この後で第４の側壁が溶着され、液体を漏れないように包装する。
このような袋の内容物は図７に示される袋が充填された後の密封状にシールされた袋からそのまま消費することはできない。これは漏れ防止袋の内部に接近できる開口がないからであり、これはこの袋が盗取り防止が保証されいかなる盗取りも立証されまた衛生的な包装条件が袋の内部に接近できる開口がない限り保証されることを意味する。
図10から12は飲用ストロー又は液体を内部から外部に通過させるある種の通路17を用いて袋の内容物に接近できるようにする方法を示している。必要とされることはタブ５が持ち上げられ袋15の縁14cに向って引張られることで足りる。タブ５が溶着矩形部13に沿って通路10の壁の一方を形成するストリップ２に溶着されていたならば、このタブ５を引張ることにより、この壁２が引裂かれそれにより通路10に開口16が形成される。この開口16は飲用ストロー又は注出用具のような管状要素17が挿入できるようにする。この管状要素17は通路10の切断端部9aから出るのに十分な長さとしそれにより漏れ防止袋の内容物が外部と連通できるようにしなければならない。
袋の中に収容された液体の全てが用いられてしまう前にこの連通を中断するためには、飲用ストロー17を引抜きそれによりストローの端部が通路10の切断端部9aから一定距離だけ退くようにすることで十分である。好ましくは図７と12に示されるように、通路10の始端は、飲用ストロー17の折返された端部17aが収容され液体の消費を停止しようとした時に所定位置に保持するようになっている急激に広がる部分10aを有している。この幅広部分10aはまた飲用ストロー17の端部17aのためのストッパーを形成しこの飲用ストローが通路10によって形成された弁を開くことになる飲用ストローの通路10への押込みを阻止する。図10から12に見られるように、漏れ防止袋15の壁１に取付けられたタブ５の縁は溶着部14cに近接しており、これはこの溶着部がタブ５を引張り返すことのできる量を制限することを意味する。
図13から15によって示される他の形式は弁が取付けられる袋15の部分に加えて、シート１から４として用いられるのと同じ型の熱可塑性フィルムのような、例えばより厚い材料（200から250μｍのオーダーの）のストリップのより堅い材料のストリップ18からなっている。このストリップ18は圧縮によって得られる平行な刻み目線19を有する。このストリップ18は図５から７に示されるように、矩形13の周りでシート２に溶着されたタブ５に溶着することにより袋に固定される。
ストリップ18を引張ることにより、タブ５は引張られ通路10の壁が引裂かれ、それにより弁を開く。ストリップ18は次にタブ５から離され、このストリップ18とこのタブとの間の溶着部はタブ５とシート２との間の溶着部13よりも引張りに対して低い抵抗が得られるように選択される。ストリップ18が分離されると、ストリップは刻み目線19に沿って曲げられその形状に依存して飲用ストロー又は注出用の口として作用するパイプを形成し、そしてこのパイプが前記のように開口16（図15）に挿入される。
図16から19によって示される他の形式は袋に包装された液体を分配するための弁とパイプとして作用する通路10に加えて、袋を充填するためのみの通路20を示している。
この他の形式による袋を製造する作用は前の実施態様について記載された作用と同じであり、これらの作用が以下にこの他の形式に関しさらに簡単に記載されることを意味する。
前述のように、開口タブ５が袋の壁の一方を形成するのに用いられるシート１に前もって切込まれる。平行に、保護ラッカー６の層が弁を形成するようにしたシートの一方２の上に塗着される。図16から19に見られるように、保護ラッカー６の層はまた、袋の周縁を形成する溶着部14aの幅の一部分6aにわたりまた以下に説明される理由によりこの溶着部14aの一定長さにわたって延びている。
次に、シート２と３が線7,8に沿って溶着され通路10を形成し、また切込み９が形成されこの通路を袋の内部と連通するようにする。通路20に関する限り、この通路はシート１と２の内縁に沿って延びる溶着部８と溶着部21との間に形成される。
通路10と20とが形成されると、シート２と３がシート１に、タブ５の頭部5aに重ねられた開口22aを有する溶着部22（図17）を用いて接合される。この溶着部は前のように、タブ５の残部を袋の壁１に接合し、保護ラッカー６が、２つの壁２と３がその間の通路10の位置で相互に溶着されるのを阻止する。
この段階（図18）で、シート４はシート1,2及び３の上に重ねられそしてこれらシートが縁と縁で溶着され漏れ防止袋を形成する。この作用の間、これらのシートの縁同士の溶着部は保護ラッカーで被覆された部分6aに一致するようにする。
次の作用は折り込まれた飲用ストロー17を通路10に挿入しまた充填用ランス（細長い管）23を通路20に挿入することである。充填が終了すると、通路10と20の各端部は図19に示されるように保護ラッカー6aによって自由となっていた部分で袋の縁を溶着することによりシールされる。すなわち、保護ラッカーの層に近接する横方向の溶着部を形成する。
この袋はしたがって飲料ストロー17と分配通路10とに接近できるようにするタブ５の引裂きにより、前に記載された袋と同様に用いることができる。
勿論、飲用ストローを通路10に配置しないようにすることもでき、この場合はこの通路の外縁が袋の縁が溶着される時にシールされこの縁に近接した第２の通路20の端部のみが開いたままとする。
本発明の本質的な利点は袋型の可撓性の壁を有する漏れ防止容器に関連しているが、本発明はまた液体を包装する漏れ防止容器の他の型にも適用することができる。勿論本発明はいずれにせよ容器の壁の内面に対して固定された膜が容器の長さ又は幅を横切って通るストリップからなるという事実に限定されるものではなく、この型のストリップの使用は本発明の容器がストリップ形式の材料から連続的につくり出されるため有利である。ストリップ34の全表面積は必らずしも袋の壁１の内面に溶着される必要はない。実際には、ストリップ34がタブの本体5bに溶着されまたタブ５の保持端部5aに近接する膜34の溶着されていない部分が漏れ防止連結部によって袋の内部から離隔されタブ５の本体5bに溶着されている膜34の部分が引裂されてしまうまで液体が注出できないようにすることで十分である。
図20と21は図１から７の方法の他の形式だけでなくさらに袋を形成するシート１と４との間に配置されたシート２と３の間に形成された弁の他の形式を示している。この他の形式において、シート１は図示されていないが、シートは勿論そこに存在している。
図20において行われる第１の作用は図21のａ−ａ断面によって示されており、弁の通路10′を区画する溶着部７′,8′に対応している。同図からわかるように、この通路は平行な縁を有しておらず、断面における通路10に与えられたこの変形例の目的と機能は後述される。
次の作用はこの通路10′を外部に連通させるような切込み９′,9′ａを形成することである。この切込み９′はＵの形状を有し、このＵの２つの腕が等しくない長さとなっている。図からわかるように、Ｕ字形の切込み９′の腕の非対称であることは通路10′の中央部の狭小部が対称でないことに符合する。この通路10′と切込み９′の対称でないことは、弁のシール作用を改善すること、すなわち通路10′と切込み９′,9′ａの非対称の狭小部から延びている通路10′の部分のシール作用を改善することがわかった。
次の断面ｃ−ｃによって示される作用の間、飲用ストロー17′が通路10′に挿入される。この飲用ストローの直径は通路10′の入口に形成された狭小部に実質的に一致するようになっている。これは飲用ストローが通路10′の入口端部に接してシールすることを意味し、これは弁の開かれている間に通路10′と飲用ストロー17′との間に流された液体がこの通路10′から出ないようにすることを意味する。通路10′に挿入された飲用ストロー17′の端部が飲用ストロー17′の通路10′から出るのを阻止する出っ張り17a′を有しこの出っ張り17a′は通路10′への入口に位置する狭小部に当接する。さらに、横方向の溶着部42は飲用ストロー17′の通路10′の中での動きを制限する。
断面ｄ−ｄによって示される作用は袋の壁の一方を形成するシート４上で平行して行われる。この作用はタブ５を切抜くことである。
飲用ストロー17′の挿入の作用（ｃ−ｃ）と次の作用ｄ−ｄとの間で、シート４は他の２つのシート2,3と接合しまた溶着できないシート（図示しない）が飲用ストローとシート４に近接するシート３との間に挿入される。これは作用ｅ−ｅにおいて形成された溶着部40がシート３と４だけを相互に溶着し開口40aがタブ５の端部5aを自由のままとし、このタブの残り部分がシート４に溶着される。
最後の作用は、通路10′を形成する溶着部７′,8′と袋の壁４との間の２つのスポット溶着部41と、その間隔が通路10′の溶着部７′,8′の間隔に一致している２つの平行な溶着線43とを形成することである。これらの溶着部43は通路10′によって形成された弁をシート2,3及び４の対向縁に取付ける。溶着部43はしたがって飲用ストロー17′の折り返された部分を収容するハウジングの幅を規定する。スポット溶着部41については、これが、出っ張り部17′ａが通路10′の入口に位置する狭小部に当接するようになった時にシート2,3が飲用ストロー17′に追従するのを阻止し、弁が閉じることができるようにする。
【図２】
0003636367.tif 000002
【図３】
0003636367.tif 000003
【図１】
0003636367.tif 000004
【図４】
0003636367.tif 000005
【図５】
0003636367.tif 000006
【図６】
0003636367.tif 000007
【図７】
0003636367.tif 000008
【図８】
0003636367.tif 000009
【図１３】
0003636367.tif 000010
【図９】
0003636367.tif 000011
【図１０】
0003636367.tif 000012
【図１１】
0003636367.tif 000013
【図１２】
0003636367.tif 000014
【図１４】
0003636367.tif 000015
【図１５】
0003636367.tif 000016
【図２２】
0003636367.tif 000017
【図１６】
0003636367.tif 000018
【図１７】
0003636367.tif 000019
【図１８】
0003636367.tif 000020
【図１９】
0003636367.tif 000021
【図２０】
0003636367.tif 000022
【図２３】
0003636367.tif 000023
【図２１】
0003636367.tif 000024
【図２４】
0003636367.tif 000025
【図２５】
0003636367.tif 000026